(57)【要約】      （修正有）【課題】軽量で折り畳み可能で携帯性に優れる使い捨てティーセットを提供する。【解決手段】使い捨てティーセットはティーポットとティーカップとを含む。ティーポットは第１のシートを折り畳んだものであり、第１のシートは、ポットの底部と、複数のポットの壁部と、複数の折り畳み部と、ポットの蓋部とを含む。複数のポットの壁部は、ポットの底部に、ポットの底部を取り囲むように接続され、複数のポットの壁部とポットの底部との間には継ぎ目がない。複数の折り畳み部は、それぞれ隣接している複数のポットの壁部に接続され、折り畳まれることで複数のポットの壁部を形成してポットの本体を形成する。複数の折り畳み部のいずれか１つはポットの本体の外側に延伸して注ぎ口を形成する。ポットの蓋部が複数のポットの壁部のいずれか１つに接続されている。ティーカップは第２のシートを折り畳んだものでありティーポット内に収められる。【選択図】図１
0003163112.tif 000002
【実用新案登録請求の範囲】
【請求項１】
１枚のシートを折り畳んだティーポットであって、前記シートは、
ポットの底部と、
前記ポットの底部に、前記ポットの底部を取り囲むように接続された複数のポットの壁部と、
前記複数のポットの壁部の互いに隣接する各々を接続し、前記複数のポットの壁部がポットの本体を形成するように折り畳まれる複数の折り畳み部と、
前記複数のポットの壁部のうちのいずれか１つに接続されたポットの蓋部とを備え、
前記複数のポットの壁部と前記ポットの底部との間には継ぎ目がなく、
前記複数の折り畳み部のうちのいずれか１つは前記ポットの本体の外側に延伸して注ぎ口を形成するティーポット。
【請求項２】
前記複数の折り畳み部と前記複数のポットの壁部との間に継ぎ目がない請求項１に記載のティーポット。
【請求項３】
前記複数の折り畳み部のうちのいずれか１つは前記ポットの本体の外側に延伸して持ち手を形成する請求項１または２に記載のティーポット。
【請求項４】
前記複数の折り畳み部のうちのいずれか１つは延伸して前記複数のポットの壁部のうちのいずれか１つに取り付けられる請求項１から３の何れか１項に記載のティーポット。
【請求項５】
前記ポットの本体の外側に延伸して前記注ぎ口を形成する前記複数の折り畳み部の一部が前記複数のポットの壁部のうちのいずれか１つに取り付けられている請求項１から４の何れか１項に記載のティーポット。
【請求項６】
前記ティーポットは格納用の第１の折り畳み線を有し、前記ティーポットは前記第１の折り畳み線に沿って折り畳むことができる請求項１から５の何れか１項に記載のティーポット。
【請求項７】
前記シートの外面に配置されたサーモクロミックインクパターンをさらに備える請求項１から６の何れか１項に記載のティーポット。
【請求項８】
使い捨てティーセットであって、
第１のシートを折り畳んだティーポットと、
第２のシートを折り畳んだ、前記ティーポット内に収められたティーカップとを備え、
前記第１のシートは、
ポットの底部と、
前記ポットの底部に、前記ポットの底部を取り囲むように接続された複数のポットの壁部と、
前記複数のポットの壁部の互いに隣接する各々を接続し、前記複数のポットの壁部がポットの本体を形成するように折り畳まれる複数の折り畳み部と、
前記複数のポットの壁部のうちのいずれか１つに接続されたポットの蓋部とを備え、
前記複数のポットの壁部と前記ポットの底部との間には継ぎ目がなく、
前記複数の折り畳み部のうちのいずれか１つは前記ポットの本体の外側に延伸して注ぎ口を形成する使い捨てティーセット。
【請求項９】
前記複数の折り畳み部と前記複数のポットの壁部との間に継ぎ目がない請求項８に記載の使い捨てティーセット。
【請求項１０】
前記複数の折り畳み部のうちのいずれか１つは前記ポットの本体の外側に延伸して持ち手を形成する請求項８または９に記載の使い捨てティーセット。
【請求項１１】
前記複数の折り畳み部のうちのいずれか１つは延伸して前記複数のポットの壁部のうちのいずれか１つに取り付けられる請求項８から１０の何れか１項に記載の使い捨てティーセット。
【請求項１２】
前記ポットの本体の外側に延伸して前記注ぎ口を形成する前記複数の折り畳み部の一部が前記複数のポットの壁部のうちのいずれか１つに取り付けられている請求項８から１１の何れか１項に記載の使い捨てティーセット。
【請求項１３】
前記ティーポットは格納用の折り畳み線を有し、前記ティーポットは前記折り畳み線に沿って折り畳むことができる請求項８から１２の何れか１項に記載の使い捨てティーセット。
【請求項１４】
前記ティーポットを取り囲む固定テープをさらに備える請求項８から１３の何れか１項に記載の使い捨てティーセット。
【請求項１５】
前記第１のシートの外面および前記第２のシートの外面の少なくとも一方に配置されたサーモクロミックインクパターンをさらに備える請求項８から１４の何れか１項に記載の使い捨てティーセット。
【請求項１６】
前記ティーポット内に収められたティーバッグをさらに備える請求項８から１５の何れか１項に記載の使い捨てティーセット。
【請求項１７】
前記ティーバッグは前記ポットの蓋部に接続される請求項１６に記載の使い捨てティーセット。
【請求項１８】
前記ティーカップは格納用の第２の折り畳み線を有し、前記ティーカップは前記第２の折り畳み線に沿って折り畳むことができる請求項８から１７の何れか１項に記載の使い捨てティーセット。
【考案の詳細な説明】
【技術分野】
【０００１】
本非仮出願は、米国特許法Ｕ．Ｓ．Ｃ．３５巻セクション１１９（ａ）に基づき、台湾・中華民国出願において２００９年７月１７日に出願された特許出願第０９８２１３０９２号明細書の優先権を主張しており、その全内容をここに参照として組み込む。
【０００２】
本考案は、ティーセットおよびそのティーポットに係り、より詳しくは、使い捨てティーセットおよびそのティーポットに係る。
【背景技術】
【０００３】
お茶は、東洋諸国で最も広く消費されている飲料の１つである。従来のお茶を入れる方法では、陶磁器製のティーポットと陶磁器製のティーカップが使われることが殆どである。先ず、お茶の葉をティーポットに入れ、熱湯をティーポットに注ぎ、熱したお茶の葉を膨らませ、お茶の葉の甘い香味と芳香を出させ、ポットの蓋部を使ってお茶の香味をティーポットに閉じ込めて、お茶をより香り高いものとする。
【０００４】
しかし、陶磁器製のティーポットおよびティーカップは重く、割れ易いので、携帯性に劣る場合がある。これを理由に、時間と場所を選ばずにティーポットを利用してお茶を入れてお茶を楽しむことが出来ない人が多い。また例えば、職場では、ティーバッグをティーカップで利用してお茶を飲む人が多く、これは便利な方法である。しかし、ティーカップは開口した容器であり、お茶の香味が容易に消えてしまいがちであり、且つ、お茶の茎といった香味に乏しい部分がティーバッグに利用される傾向にある。以上のように、現在のティーセットでは、ユーザは何処でもお茶を入れることを楽しみ、且つ同時に香味の高い、より美味しいお茶を楽しむことができない。
【考案の概要】
【考案が解決しようとする課題】
【０００５】
本考案の目的の１つは、ユーザにお茶を入れることを楽しませる使い捨てティーセットおよびそのティーポットを提供することである。
【課題を解決するための手段】
【０００６】
本考案では、１枚のシートを折り畳んだティーポットである。シートは、ポットの底部と、複数のポットの壁部と、複数の折り畳み部と、ポットの蓋部とを備える。複数のポットの壁部は、ポットの底部に、ポットの底部を取り囲むように接続されており、複数のポットの壁部とポットの底部との間には継ぎ目がない。複数の折り畳み部は、それぞれ隣接している複数のポットの壁部に接続され、折り畳まれることで複数のポットの壁部を形成してポットの本体を形成する。複数の折り畳み部のいずれか１つはポットの本体の外側に延伸して注ぎ口を形成する。ポットの蓋部は複数のポットの壁部のいずれか１つに接続される。
【０００７】
本考案では、使い捨てティーセットは、ティーポットとティーカップとを含む。ティーポットは第１のシートを折り畳んだものである。第１のシートは、ポットの底部と、複数のポットの壁部と、複数の折り畳み部と、ポットの蓋部とを備える。複数のポットの壁部は、ポットの底部に、ポットの底部を取り囲むように接続されており、複数のポットの壁部とポットの底部との間には継ぎ目がない。複数の折り畳み部は、それぞれ隣接している複数のポットの壁部に接続され、折り畳まれることで複数のポットの壁部を形成してポットの本体を形成する。複数の折り畳み部のいずれか１つはポットの本体の外側に延伸して注ぎ口を形成する。ポットの蓋部は複数のポットの壁部のいずれか１つに接続されている。ティーカップは第２のシートを折り畳んだものであり、ティーポット内に収められる。
【０００８】
本考案の一実施形態では、ティーポットは格納用の第１の折り畳み線を有し、ティーポットは第１の折り畳み線に沿って折り畳むことができてよい。
【０００９】
本考案の一実施形態では、ティーポットの複数の折り畳み部と複数のポットの壁部との間に継ぎ目がなくてよい。
【００１０】
本考案の一実施形態では、複数の折り畳み部のいずれか１つは延伸して複数のポットの壁部のいずれか１つに取り付けられてポットの本体を補強してよい。
【００１１】
本考案の一実施形態では、ティーポットの複数の折り畳み部のいずれか１つはポットの本体の外側に延伸して持ち手を形成してよい。
【考案の効果】
【００１２】
上述によれば、本考案の使い捨てティーセットに含まれるティーポットおよびティーカップは、それぞれ紙等の１枚のシートを折り畳んだものである。これにより、軽量なティーポットおよびティーカップが得られ、ティーカップをティーポット内に収めることができる。さらに、ティーポットとティーカップとが折り畳み可能であることから、本考案の使い捨てティーセットは、携帯性、簡便性に優れる。加えて本考案のティーポットはポットの蓋部を有する。これにより、ユーザがティーバッグでお茶を入れる際に、お茶の香味をティーポットに閉じ込めることができ、より香り高いお茶を入れることができる。従ってユーザは、お茶を入れることを楽しみ、且つ同時により美味しいお茶を楽しむことができる。
【００１３】
本考案に関して上述した、あるいはその他の特徴、側面、および利点は、以下の記載、添付請求項、および添付図面を参照することで理解が深まるであろう。
【図面の簡単な説明】
【００１４】
【図１】本考案の１つの好適な実施形態における使い捨てティーセットを示す概略図である。
【００１５】
【図２】本考案の１つの好適な実施形態におけるティーポットの第１のシートが折り畳まれていない状態を示す概略図である。
【００１６】
【図３】本考案の１つの好適な実施形態における、使い捨てティーセットのティーカップが折り畳まれていない状態を示す概略図である。
【００１７】
【図４】本考案の１つの好適な実施形態における使い捨てティーセットの格納方法を示す概略図である。
【００１８】
【図５】本考案の１つの好適な実施形態における、格納されている状態の使い捨てティーセットを示す概略図である。
【考案を実施するための形態】
【００１９】
本考案の１つの好適な実施形態における、使い捨てティーセットおよびそのティーポットについて説明する。
【００２０】
図１は、本考案の１つの好適な実施形態における使い捨てティーセット１を示す概略図である。使い捨てティーセット１は、ティーポット２およびティーカップ３を含む。
【００２１】
図２は、本考案の１つの好適な実施形態における、折り畳まれていない状態のティーポット２の第１のシートＰ１を示す概略図である。図２に、第１のシートＰ１の第１の折り畳み線を破線で示す。
【００２２】
図１および図２では、ティーポット２は、第１のシートＰ１を折り畳んだものである。ティーポット２は、一枚の第１のシートＰ１を図２に示す第１の折り畳み線で折り畳んだものである。第１のシートＰ１は紙製であってよく、ポットの底部２１、複数のポットの壁部２２、複数の折り畳み部２３、およびポットの蓋部２４を含んでよい。
【００２３】
ポットの底部２１は、円形、正方形、長方形、台形、または多角形であってよい。本実施形態では、ポットの底部２１は正方形である。しかし本考案はこれに限定されない。
【００２４】
複数のポットの壁部２２は、ポットの底部２１に、これを取り囲むように接続されており、ポットの壁部２２とポットの底部２１との間には継ぎ目がない。言い換えると、ポットの壁部２２とポットの底部２１とは一体成形されている。加えて、ポットの壁部２２は正方形、長方形、台形、または多角形であってよい。本実施形態では、ポットの壁部２２は台形である。しかし本考案はこれに限定されない。
【００２５】
複数の折り畳み部２３各々は、それぞれ隣接するポットの壁部２２に接続され、折り畳まれることでポットの壁部２２を形成し、これによりポットの本体２５が形成される。折り畳み部２３のいずれか１つはポットの本体２５の外側に延伸して、注ぎ口２６を形成する。加えて、折り畳み部２３とポットの壁部２２との間には継ぎ目がない。ポットの本体２５は、立方体、長方体、台形体、円筒、多面体、またはその他の折り畳み可能な形状であってよい。本実施形態では、ポットの本体２５は台形体である。しかし本考案はこれに限定されない。さらに、ポットの本体２５は内包空間２５１を含む。
【００２６】
加えて本実施形態では、折り畳み部２３のいずれか１つが延伸してポットの壁部２２のいずれか１つに取り付けられるようにすることで、ポットの本体２５を補強する。本実施形態では、２つの折り畳み部２３が延伸して２つのポットの壁部２２に取り付けられている。折り畳み部２３はそれぞれ、ポットの壁部２２の２つの対向する側に取り付けられる。図１では、片側のポットの本体２５の補強用折り畳み部２３を示している。しかし、折り畳み部２３はこれと反対の面にもあってよい。これにより、ティーポット２のポットの本体２５の構造的強度が高まる。
【００２７】
ポットの本体２５を補強する折り畳み部２３の折り畳まれている状態の形状は、三角形、台形、またはその他の形状であってよい。さらに、折り畳み部２３は、ポットの本体２５の内包空間２５１内に折り畳まれてポットの壁部２２の内面に固定されてもよいし、あるいは、折り畳み部２３はポットの本体２５の内包空間２５１の外側へ折り畳まれてポットの壁部２２の外面に固定されてもよい。本実施形態では、折り畳み部２３は三角形であり、折り畳み部２３は外側へ折り畳まれてポットの壁部２２の外面に固定されている。しかし本考案はこれに限定されない。
【００２８】
注ぎ口２６は三角錐、五角錐、または他の折り畳み可能な形状であってよい。本実施形態では、ポットの注ぎ口２６は三角錐である。しかし本考案はこれに限定されない。加えて、本実施形態では、ポットの本体の外側に延伸して注ぎ口を形成する折り畳み部２３の一部が、ポットの壁部２２のいずれか１つに取り付けられることで、注ぎ口２６が補強されている。本実施形態では、２つの折り畳み部２３が延伸して２つのポットの壁部２２に取り付けられている。注ぎ口２６補強用の折り畳み部２３を折り畳むと、折り畳み部２３は三角形、台形、またはその他の形状となってよい。さらに、折り畳み部２３は、ポットの本体２５の内包空間２５１内に折り畳まれてポットの壁部２２の内面に固定されてもよいし、あるいは、折り畳み部２３はポットの本体２５の内包空間２５１の外側へ折り畳まれてポットの壁部２２の外面に固定されてもよい。本実施形態では、折り畳み部２３は三角形であり、外側へ折り畳まれて、注ぎ口２６の両側に位置する。さらに、折り畳み部２３はポットの壁部２２の外面に固定される。しかし本考案はこれに限定されない。
【００２９】
加えて、折り畳み部２３のいずれか１つは、ポットの本体２５の外側に延伸して持ち手２７を形成する。持ち手２７は、ポットの本体２５の注ぎ口２６の反対側に位置する。つまり、注ぎ口２６と持ち手２７とは、ポットの本体２５の対角線上にある２端に形成されることで、ユーザが持ち手２７を掴んで注ぎ口２６からお茶を注ぐことができるようになる。
【００３０】
加えて、持ち手２７の折り畳み部２３はさらに延伸することで持ち手２７を補強する。持ち手２７を補強する折り畳み部２３は三角形、台形、またはその他の形状であってよく、内側へ折り畳まれても外側へ折り畳まれてもよい。本実施形態では、持ち手２７を補強する折り畳み部２３は台形であり、内側へ折り畳まれて固定される。しかし本考案はこれに限定されない。
【００３１】
ポットの蓋部２４はポットの壁部２２のいずれか１つに接続されており、ポットの蓋部２４の形状は、ポットの本体２５の内包空間２５１の開口形状に対応するものであってよい。本実施形態では、ポットの蓋部２４は長方形である。しかし本考案はこれに限定されない。ポットの蓋部２４も円形、正方形、台形、または多角形であってもよい。加えて、ポットの蓋部２４は、接続部材２４１を備えてもよく、接続部材２４１はポットの壁部２２の固定部材２２１のスロットに挿入されて固定されてもよい。これにより、ポットの蓋部２４は内包空間２５１の開口部に、これを覆うように固定される。さらに、ポットの壁部２２は複数の延伸部材２２２を備える。ポットの蓋部２４が内包空間２５１の開口部を覆うとき、内包空間２５１の開口部は延伸部材２２２によって完全に覆われる。
【００３２】
加えて、ポットの蓋部２４は蓋部の持ち手Ｇを有する。蓋部の持ち手Ｇは、別の紙のシートで作られてもよいし、ティーポット２の第１のシートＰ１のポットの蓋部２４から直接形成することもできる。本実施形態では蓋部の持ち手Ｇは別の紙のシートで形成されており、この紙のシートは、ポットの蓋部２４の穴２４２に挿入してから折り畳んでポットの蓋部２４に固定する。この蓋の持ち手Ｇによって、ユーザはポットの蓋部２４を容易に開け閉めすることができるようになる。
【００３３】
図３は、本考案の１つの好適な実施形態における、使い捨てティーセット１のティーカップ３が折り畳まれていない状態を示す概略図である。図３に、第２のシートＰ２の第２の折り返し線を破線で示す。
【００３４】
図１および図３においては、ティーカップ３は第２のシートＰ２を折り畳んだものである。ティーカップ３は、一枚の第２のシートＰ２を図３に示す第２の折り畳み線で折り畳んだものである。第２のシートＰ２は紙製であってよい。さらにティーカップ３は、カップの底部３１、複数のカップの壁部３２、および複数の折り畳み部３３を含んでよい。
【００３５】
カップの壁部３２は、カップの底部３１に、これを取り囲むように接続されており、カップの壁部３２とカップの底部３１との間には継ぎ目がない。複数の折り畳み部３３各々は、それぞれ対応するカップの壁部３２に接続され、折り畳まれることでカップの壁部３２を形成し、これによりカップの本体３４が形成される。加えて、折り畳み部３３を延伸させてカップの壁部３２のいずれか１つに取り付けられるようにすることで、カップの本体３４を補強してもよい。本実施形態では、カップの本体３４を補強する折り畳み部３３は、ティーカップ３の２つの対向するカップの壁部３２に取り付けられる。図１では、１面のみにカップの本体３４を補強する折り畳み部３３が示されている。実際には、反対の面にも折り畳み部３３は形成されている。これにより、ティーカップ３の構造的強度が高まる。
【００３６】
折り畳み部３３の折り畳まれている状態の形状は、三角形、台形、またはその他の形状であってよい。さらに、折り畳み部３３は、カップの本体３４の内包空間３４１内に折り畳まれてポットの壁部３２の内面に固定されてもよいし、あるいは、折り畳み部３３はカップの本体３４の内包空間３４１の外側へ折り畳まれてポットの壁部３２の外面に固定されてもよい。本実施形態では、折り畳み部３３は三角形であり、折り畳み部３３は外側へ折り畳まれて２つの対向するカップの壁部３２の外面に固定されている。しかし本考案はこれに限定されない。折り畳み部３３は、他の折り畳み方法では４つのカップの壁部３２の側面に固定することもできる。
【００３７】
加えて、図１に示すように、本実施形態では、使い捨てティーセット１はティーバッグ４を含んでよい。しかし本考案はこれに限定されない。必要に応じて、ユーザがお茶の葉を利用することもできる。ティーバッグ４は茶漉しバッグ４１と接続紐４２とを備える。茶漉しバッグ４１にはお茶の葉が容れられ、茶漉しバッグ４１は不織布からできていてよい。接続紐４２は茶漉しバッグ４１と、ポットの蓋部２４の蓋の持ち手Ｇとに接続される。言い換えると、ティーバッグ４は、ポットの蓋部２４に直接固定されている。ティーバッグ４はさらに入れ替え可能とすることもできる。つまり、ティーバッグ４をポットの蓋部２４の蓋の持ち手Ｇに接続しないこともできる。
【００３８】
このように使い捨てティーセット１のティーポット２はポットの蓋部２４を含むので、ユーザがティーバッグ４を使ってお茶を入れる場合、お茶の香味をティーポット２内に閉じ込めることができ、お茶をより香り高いものとすることができる。使い捨てティーセット１を利用することにより、ユーザはお茶を入れることを楽しみ、且つ同時により美味しいお茶を楽しむことができる。
【００３９】
加えて、本実施形態では、使い捨てティーセット１はさらに、ティーポット２の第１のシートＰ１の外面およびティーカップ３の第２のシートＰ２の外面に配置されたサーモクロミックインクパターンをさらに含む。サーモクロミックインクパターンの色は、温度によって変化してよい。従って、熱湯がティーポット２またはティーカップ３に注がれると、ユーザはティーポット２またはティーカップ３の水位を知ることができ、注ぎすぎ溢れさせて火傷してしまうといったことがなくなり、視覚効果も上がる。
【００４０】
図４は、本考案の１つの好適な実施形態における使い捨てティーセット１の格納方法を示す概略図である。図１および図４では、ティーポット２は格納折り畳み線２８を有してよく、ティーカップ３は格納折り畳み線３５を有してよい。従ってティーポット２およびティーカップ３は、それぞれ格納折り畳み線２８、３５で折り畳むことができる。ティーカップ３およびティーバッグ４は、ティーポット２内に収めることができる。必要に応じて、ティーポット２の折り畳み方とティーカップ３の折り畳み方とは異なっていてもよい。しかし本考案はこれに限定されない。加えて、ティーカップ３およびティーバッグ４のティーポット２内での配置は上述のものに限られない。
【００４１】
ティーカップ３およびティーバッグ４は、ティーポット２内に収めることができる。さらに、ティーポット２およびティーカップ３は折り畳むことができ、ユーザは使い捨てティーセット１を容易に携帯して利用することができる。
【００４２】
図５は、本考案の１つの好適な実施形態における、格納されている状態の使い捨てティーセット１を示す概略図である。図４および図５では、使い捨てティーセット１はさらに固定テープ５を含む。固定テープ５は、１枚の紙のシートを折り畳んだものであってよい。ティーカップ３およびティーバッグ４をティーポット２に収めた後に、固定テープ５をティーポット２の外周に付着させる。この固定テープ５により、使い捨てティーセット１の容積はさらに低減する。使い捨てティーセット１を利用するときには、ユーザはカットライン５１に沿って固定テープ５を切り離すだけの処理で、使い捨てティーセット１を取り出すことができる。
【００４３】
上述したように、本考案の使い捨てティーセットに含まれるティーポットおよびティーカップは、それぞれ紙等の１枚のシートを折り畳んだものである。これにより、軽量なティーポットおよびティーカップが得られ、ティーカップをティーポット内に収めることができる。さらに、ティーポットとティーカップとが折り畳み可能であることから、本考案の使い捨てティーセットは、携帯性および簡便性に優れる。加えて本考案のティーポットはポットの蓋部を有する。これにより、ユーザがティーバッグでお茶を入れる際に、お茶の香味をティーポットに閉じ込めることができ、より香り高いお茶を入れることができる。
【００４４】
本考案を特定の好適な実施形態により詳述してきたが、本開示は本考案の範囲を制限するものではない。当業者であれば本考案の範囲内で多くの変形例および変更例を想到することができる。従って、添付請求項の範囲は、上述の好適な実施形態の記載に限定されるべきではない。
【図１】
0003163112.tif 000003
【図２】
0003163112.tif 000004
【図３】
0003163112.tif 000005
【図４】
0003163112.tif 000006
【図５】
0003163112.tif 000007